(57)【要約】【課題】外壁パネルと躯体間の間隔を大きく設定して、該間隙部に断熱材を十分な厚さで設置する外断熱工法を用いた建物用の外壁パネル材取付金物を提供する。【解決手段】サポート金具９を締着固定した支持ボルト７の先端部１１で位置決めナット１９a、挟持ナット１９bを介して所定位置に固設される胴縁受け金物１２は、平板に胴縁嵌合部１３を形成する一対の挟持リブ１４a、１４bを有し、該挟持リブ１４a、１４bを挟んで両端に広がる支持ボルト固定部１５と耐風ボルト固定部１６を設けてなり、前記支持ボルト７の先端部１１は胴縁受け金物１２の支持ボルト固定部１６に穿たれたルーズホール１７に挿着され、該ルーズホール１７内にてアンカーボルト６に植設された支持ボルト１１の位置の施工誤差を吸収し、該胴縁受け金物１２を位置決めボルト１９a、挟持ナット１９ｂにて挟持して前記胴縁受け金物を所定位置に固設する。【選択図】  図１
2005220628.tif 000002
【特許請求の範囲】
【請求項１】
鉄筋コンクリート造やプレキャストコンクリート造、並びに軽量気泡コンクリート板等にて形成される建造物の躯体面に対して必要な間隔をもって平滑状態に外装パネル材を取り付けるための施工に際して、
該外装パネル材の取付金具は躯体面に埋め込まれたアンカーボルトを介して略垂直に植設される支持ボルトと、
該支持ボルトの根元部補強のために支持ボルトの根元部に嵌挿されるサポート金具からなり、
該サポート金具は前記支持ボルトの挿入孔を中心に放射状に３〜４枚の羽根形状のリブが形成されており、
該それぞれのリブ先端部には羽根厚よりも大きな脚部構成シューが形成された形状を有し、
該サポート金具の脚部構成シューが前記躯体面に圧着されるよう躯体面に植設した支持ボルトにサポート金具を嵌挿して固定用ナットにて躯体面にサポート金具を締着固定して、
該サポート金物を締着固定した支持ボルトは該支持ボルトの先端部で胴縁受け金物を位置決めナットを介して所定位置に設定し、
該位置決めナットに対向して螺着される挟持ナットにて前記胴縁受け金物は設定位置に固設保持され、
該胴縁受け金物の胴縁嵌合部に胴縁を嵌合当接してビスで胴縁と胴縁受け金物を締結することにより、
前記躯体面と胴縁に取り付けられる外装パネル材間に所定間隙を設け、
該所定間隙内で前記支持ボルトが断熱材を保持して、
前記外装パネル材を施工していく構成を特徴とする外断熱工法を用いた建物の外壁パネル材取付金物
【請求項２】
前記サポート金具を締着固定した支持ボルトの先端部で位置決めナットと挟持ナットにて所定位置に設定される胴縁受け金物は平板に胴縁嵌合部を形成する一対の挟持リブを有し、
該挟持リブを挟んで両端に広がる支持ボルト固定部と耐風ボルト固定部を設けてなり、  
該支持ボルト固定部には長孔形状のルーズホールが穿たれており、
前記位置決めナットを螺着した支持ボルトの先端部は胴縁受け金物の支持ボルト固定部に穿たれた長孔形状のルーズホールに挿着され当該位置決めナットに当接されて出幅方向を設定され、
また、前記長孔形状のルーズホール内にて胴縁受け金物は左右方向を調整して前記位置決めナットに対向して支持ボルトに螺着される挟持ナットで挟持固着され、
該胴縁受け金物の一対の挟持リブが形成する胴縁嵌合部に嵌着される縦胴縁は躯体面に対して上下方向に装架される通し材を形成し、
該通し材にビス止め等にて取付される外装パネルは取付時に縦胴縁上で当該外パネル材の上下調整をおこなう構成としたことを、
特徴とする請求項１記載の外壁パネル材取付金物用の胴縁受け金物。
【請求項３】
前記サポート金具を締着固定した支持ボルトの先端部で位置決めナットと挟持ナットにて所定位置に固設される胴縁受け金物は平板に胴縁嵌合部を形成する一対の挟持リブを有し、
該挟持リブを挟んで両端に広がる支持ボルト固定部と耐風ボルト固定部を設けてなり、
前記支持ボルトの先端部は胴縁受け金物の支持ボルト固定部に穿たれたルーズホールに挿着され、
該ルーズホール内で胴縁受け金物を調整して所定位置に固設し、
前記挟持リブの他端に設けられた耐風ボルト固定部には耐風ボルト螺着孔を穿設してなり、
該耐風ボルト螺着孔に耐風ボルトを必要に応じて螺着させて当該耐風ボルトの先端部を前記躯体面に当接調整することで、
前記胴縁受け金物に係る面外に対する対応力を補強することを可能にした構成を有することを、
特徴とする請求項１記載または請求項２記載の外壁パネル材取付金物用の胴縁受け金物。
【請求項４】
前記胴縁受け金物は当該胴縁受け金物の長手方向に連続して押し出されるアルミ押出形材にて製作され、  
該胴縁受け金物の有効長さは適宜長さに切断されてピース材の胴縁受け金物となし、
該ピース材の胴縁受け金物は前記一対の挟持リブを有する胴縁嵌合部を形成して当該胴縁嵌合部で接合する一対の胴縁間に嵌合して添部材となし、該添部材をそれぞれ胴縁とビス等にて固着せしめ接合する一対の胴縁間の接合部材を構成することを、
特徴とする請求項１乃至請求項３記載の外壁パネル材取付金物用の胴縁接合部材。
【発明の詳細な説明】
【技術分野】
【０００１】
本発明は、マンションや集合住宅等、建物の壁を二重にし断熱材でコンクリートを外から覆う外断熱工法に用いられる外壁パネル材の取付金物に関するものである。
【０００２】
本発明は、特に安価で生産性に優れた外壁パネル材の取付金物を提供し、該外壁パネル材の取付金物を使用すると、外壁パネル材の取付位置が三次元で調整可能で、簡単且つ容易に施工できる取付金物を提供するものである。
【０００３】
また、本発明が対象とする外断熱工法を用いた建物は、コンクリート躯体と外装パネル間の間隔を大きく設定することが容易に可能で、該間隙部に十分な厚さでグラスウール系やロックウール系の断熱材を施工し、省エネルギー効果に優れ、コンクリート躯体を外部環境から保護して耐久性の高い建物を構成するためのものである。
【０００４】
本発明は、前記コンクリート躯体と外装パネル材間の間隙を確保し、コンクリート躯体から外装パネル材を持ち出して取付するための取付金物で、該取付金物は、熱橋作用の生じにくい最小断面形状の支持アームを構成する支持ボルトに如何に胴縁を効率よく固着するかを工夫し、該形状にて支障なく外装パネルを取付可能な外断熱工法を用いた建物用の外装パネル取付金物を提供する。
【背景技術】
【０００５】
パネル形状の外装材を鉄筋コンクリート等により構築された躯体面に取り付ける工法として、従来から適宜寸法にカットされたアングル材をアンカーボルトによって躯体面に固定し、該アングル材から突出したアングル材の一片に他のアングル材を重ね合わせ、該アングル材の重合部において前記躯体面の不陸を調整して外装パネル材の取付レベル位置決めを行い、前記外装パネル材の取付を行う方法が一般的におこなわれている。
【０００６】
前記外装パネル材の取付に使用される取付金物は、二個のアングル材であり、該二個のアングル材は、一方のアングル材を躯体面に固定し、他方のアングル材は外装パネル材に直接取り付けるか、縦横の胴縁を介して外装パネル材を取り付けるもので、前記二個のアングル材の重合部にて片側のアングル材の出幅を調整し、躯体面の不陸調整と取付レベルの位置決めを行った後、前記重合する二個のアングル材を溶接により固着して外装パネル材を取付している。
【０００７】
しかしながら、上述の如くアングル材を取付金物として用いた従来の工法にあっては、躯体面にアンカーボルトにて固定されたアングル材の突出片上で他のアングル材を重合して、該部分にて躯体面の不陸調整と取付レベルを決めているため、当該外装パネル材の取付は熟練を必要としていた。
【０００８】
また、上記従来工法にあっては、使用できるアングル材の大きさに限度があり、外装材と躯体面間に十分な厚さの断熱材を施すために大きな間隔を設けようとすると、前記アングル材の組み合わせを吊り梯子の如く三個から四個と組み合わせて躯体面から外装材を持ち出しをするか、断面形状が大矩の如くアングル材を組み合わせてファスナー部材をそれぞれ作り、該ファスナー部材にて外装パネル材を躯体面より大きな間隔を持って取り付ける構成となる。
【０００９】
従って上述の従来工法では、取付金物の製造費用が高価になるばかりでなく、取付金物が邪魔になり断熱材の施工が綿密でなくなるほか、取付金物自体が熱橋となり高性能の断熱効果が得られない。
【００１０】
斯くして、躯体面と外装材間の間隔を大きくとり、該間隙部に断熱材を十分な厚さをもって設けることのできる外装材の支持金物及び、当該支持金物を使用した外断熱工法による建物の外壁構造に関する技術が特開２０００−７３５１５号公報にて開示されている。
【００１１】
特開２０００−７３５１５号公報は、コンクリート造またはＡＬＣ造の建物の外装材を支持するために躯体壁面に設置される支持金物であって、基端が壁面に略垂直に取り付けられる支持ボルトと、当該支持ボルトを補強するための補強部材とから成り、前記補強部材は、前記支持ボルトを相対的に挿通させる装着部と、当該装着部から張出された複数の支持板とから構成され、前記各支持板は、その底辺先端の壁面接触部分から支持ボルト先端側に向けられた略直線的な筋交構造を備えている。
【００１２】
そして前記支持金物の支持ボルトの基端が躯体壁に埋没され、補強部材の装着部から突出した前記支持ボルトの先端部側に角パイプ等から成る縦胴縁（６e）が取り付けられ外装材（６）は縦胴縁（６e）に沿ってネジ止めされている。
【００１３】
而して、前記支持金物にあっては、基端が壁面に略垂直に取り付けられる支持ボルトと、該支持ボルトを補強するための補強部材とから成り、補強部材は前記支持ボルトを相対的に挿通させる装着部と、当該装着部から張出された複数の支持板から構成される、所謂、コンクリート躯体と外装材間の間隔を大きく設定するための一つの具現化した機構を開示している。
【００１４】
然しながら、前記、特開２０００−７３５１５号公報は、折角、コンクリート躯体と外装材（６）間の間隙を大きく設定することができて、該間隙部に断熱材を装着しても、補強部材の装着部から突出した支持ボルトの先端部側に角パイプ等から成る縦胴縁（６e）を取り付ける段階で、外装材取付位置の設定に大変煩雑な施工手順を余儀なくされる。
【００１５】
即ち、開示された従来技術では、補強部材の装着部から突出した支持ボルトの先端部に角パイプ等から成る縦胴縁を取り付けながら、該縦胴縁の取付位置において躯体面の不陸調整と取付レベルを決め固定しているため、当該縦胴縁に直接取り付けられる外装材の取付は熟練を要するばかりでなく、施工精度の良い物とならない。
【００１６】
また、開示された従来技術では、外装材は、該縦胴縁に沿ってネジ止めされることにより、躯体壁の壁面と外装材との離間距離を大きく取れるので、外断熱工法において、断熱材の厚さを例えば７５〜３００mmといった十分な厚さに設定できるとしているが、躯体壁の壁面と外装材との離間距離を大きく取ると、躯体面より外装パネル面間の距離は大きくなり、外装材の重量と風圧に耐え得るように取付金物を構成するには、縦胴縁の設定ピッチを狭める必要が生じ、前記煩雑な支持ボルトの先端部に角パイプ等から成る縦胴縁を取り付ける作業が増大する。
【特許文献１】特開２０００−７３５１５号公報
【発明の開示】
【発明が解決しようとする課題】
【００１７】
斯くして、本発明は、コンクリート躯体と外装材（６）間の間隙を大きく設定することができて、該間隙部に断熱材を装着しても、補強部材の装着部から突出した支持ボルトの先端部側に角パイプ等から成る縦胴縁（６e）を取り付ける段階で、大変煩雑な施工手順を余儀なくされている点を解決する。                
【００１８】
本発明は、特に安価で生産性に優れた外壁パネル材（外装材を本発明の説明では以下、外装パネル材と称する）の取付金物を提供し、該外壁パネル材の取付金物を使用すると外壁パネル材の取付位置が三次元で調整可能で、設定寸法に取付位置調整でき、施工が、簡単且つ容易にできる取付金物を提供するものである。
【００１９】
また、本発明が対象とする外断熱工法を用いた建物は、コンクリート躯体と外装パネル間の間隔を大きく設定することが必要で、該間隙部に十分な厚さでグラスウール系やロックウール系の断熱材を支持ボルトで保持して施工し、省エネルギー効果に優れ、耐久性の高い建物を構成するためのものである。
【００２０】
本発明は、前記コンクリート躯体と外装パネル材間の間隙を確保し、コンクリート躯体から外装パネルを持ち出して取付するための胴縁受け金物で、該胴縁受け金物は、熱橋作用の生じにくい最小断面形状を有する支持ボルトに簡単に固定可能であり、また、該躯体面からの持ち出し用支持ボルトは板上に成形された断熱材を当該支持ボルトにて面方向で貫通してコンクリート躯体面に保持できる。
【００２１】
而して、本発明は、前記支持ボルトの先端部に如何に胴縁を効率よく固着するかを工夫した胴縁受け金物で、該形状にて支障なく外装パネル材を取付可能な外断熱工法を用いた建物用の外装パネル取付金物を提供することを目的としている。
【課題を解決するための手段】
【００２２】
本発明は、鉄筋コンクリート造やプレキャストコンクリート造、及び軽量気泡コンクリート板等にて形成される建造物の躯体面に対して必要な間隔をもって平滑状態に外装パネル材をとりつけるために、前記躯体の前面に縦胴縁受け金物と、該受け金物に装着、固定して設けられる外壁パネル材取付金物を提供する。
【００２３】
而して本発明において実施されるパネル取付用胴縁の取付は、前記胴縁受け金物と躯体面に略垂直に植設される断面形状の小さい支持ボルトと、該支持ボルトの根元部補強のために支持ボルトの根元部に嵌挿されるサポート金具からなる。
【００２４】
そして、前記躯体面に植設した支持ボルトにサポート金具を嵌挿して固定用ナットにて躯体面にサポート金具を締着固定し、該サポート金具を締着固定した支持ボルトの先端部で新規な形状の縦胴縁受け金物を位置決めナットを介して設定位置に固設し、この取付行程で縦胴縁受け金物の躯体面の不陸並びに出幅の調整を行い、該縦胴縁受け金物に胴縁を装架せしめ、該胴縁に外装パネルを取付ていくものである。
【００２５】
本発明の具体的な構成は、鉄筋コンクリート造やプレキャストコンクリート造、並びに軽量気泡コンクリート板等にて形成される建造物の躯体面に対して必要な間隔をもって平滑状態に外装パネル材を取り付けるためにの施工に際して、
該外装パネル材の取付金具は躯体面に埋め込まれたアンカーボルトを介して略垂直に植設される支持ボルトと、該支持ボルトの根元部補強のために支持ボルトの根元部に嵌挿されるサポート金具からなる。
【００２６】
サポート金具は前記支持ボルトの挿入孔を中心に放射状に３〜４枚の羽根形状のリブが形成されており、該それぞれのリブ先端部には羽根厚よりも大きな脚部構成シューが形成された形状を有し、該サポート金具の脚部構成シューが前記躯体面に圧着されるよう躯体面に植設した支持ボルトにサポート金具を嵌挿して固定用ナットにて躯体面にサポート金具を締着固定している。
【００２７】
而して、サポート金物を締着固定した支持ボルトは該支持ボルトの先端部で胴縁受け金物を位置決めナットと挟持ナットにて所定位置に設定し、該位置決めナットに対向して螺着される挟持ボルトにて前記胴縁受け金物は設定位置に固設保持され、該胴縁受け金物の胴縁嵌合部に胴縁を嵌合当接してビスで胴縁と胴縁受け金物を締結することにより、前記躯体面と胴縁に取り付けられる外装パネル材間に所定間隙を設け、該所定間隙内で前記支持ボルトが断熱材を保持して、前記外装パネル材を施工していく構成を主な要旨としている。                      
【００２８】
本発明は、好ましくは、サポート金具を締着固定した支持ボルトの先端部で位置決めナットと挟持ナットにて所定位置に設定される胴縁受け金物は平板に胴縁嵌合部を形成する一対の挟持リブを有し、該挟持リブを挟んで両端に広がる支持ボルト固定部と耐風ボルト固定部を設けてなり、該支持ボルト固定部には長孔形状のルーズホールが穿たれており、前記位置決めナットを螺着した支持ボルトの先端部は胴縁受け金物の支持ボルト固定部に穿たれた長孔形状のルーズホールに挿着され前記位置決めナットに当接されて出幅方向を設定されている。
【００２９】
また、前記長孔形状のルーズホール内にて胴縁受け金物は左右方向を調整して前記位置決めナットに対向して支持ボルトに螺着される挟持ナットで挟持固着され、該胴縁受け金物の一対の挟持リブが形成する胴縁嵌合部に嵌着される縦胴縁は躯体面に対して上下方向に装架される通し材を形成し、該通し材にビス止め等にて取付される外装パネルは取付時に縦胴縁上で当該外パネルの上下調整をおこなう構成の外壁パネル材取付金物用の胴縁受け金物を有することである。  
【００３０】
更にまた、本発明は、好ましくは、サポート金具を締着固定した支持ボルトの先端部で位置決めナットと挟持ナットにて所定位置に固設される胴縁受け金物は平板に胴縁嵌合部を形成する一対の挟持リブを有し、該挟持リブを挟んで両端に広がる支持ボルト固定部と耐風ボルト固定部を設けている。
【００３１】
前記支持ボルトの先端部は胴縁受け金物の支持ボルト固定部に穿たれたルーズホールに挿着され、該ルーズホール内で胴縁受け金物を調整して所定位置に固設し、前記挟持リブの他端に設けられた耐風ボルト固定部には耐風ボルト螺着孔を穿設してなり、該耐風ボルト螺着孔に耐風ボルトを必要に応じて螺着させて当該耐風ボルトの先端部を前記躯体面に当接調整することで、前記胴縁受け金物に係る面外に対する対応力を補強することを可能にした外壁パネル材取付金物用の胴縁受け金物を有することである。
【００３２】
本発明は好ましくは、胴縁受け金物は、当該胴縁受け金物の長手方向に連続して押し出されるアルミ押出形材にて製作され、該胴縁受け金物の有効長さは適宜長さに切断されてピース材の胴縁受け金物となし、該ピース材の胴縁受け金物は前記一対の挟持リブを有する胴縁嵌合部を形成して当該胴縁嵌合部で接合する一対の胴縁間に嵌合して添部材となし、該添部材をそれぞれ胴縁とビス等にて固着せしめ接合する一対の胴縁間の接合部材を構成する外壁パネル材取付金物用の胴縁接合部材を有することである。  
【００３３】
斯くして、本発明に用いられるサポート金具は、ロストワックスによる精密鋳造製法にて製作されたステンレス部材または相当の金属部材で、該サポート金具のワックス型成型金型は設計時に最大限サポート金具の必要長さ大きく設定して製作し、該ワックス型成型金型で成型したワックス製の型から頭部を長手軸方向に対して垂直に切断することにより容易に前記サポート金具の長さを任意に設定できるサポート金具を用いている。
【００３４】
また、サポート金具の断面形状は中心に支持ボルト挿入孔を有した精密鋳造部品で、該支持ボルト挿入孔を中心に放射上に３枚。或いは４枚のリブ形状の羽が形成されており、前記精密鋳造部品を長手軸方向に対して垂直に切断してサポート金具の必要長さを任意に確保し、該サポート金具にて前記支持ボルトの根元補強を行い、躯体面より大きく持ち出しされた支持ボルトの先端部にに係るモーメント荷重を補強的に支持することができるように製造される新しい外装パネル材のサポート金具を採用している。
【発明の効果】
【００３５】
而して、本発明は上述の如く構成することにより、特に安価で生産性に優れた外壁パネル材の取付金物を提供し、該外壁パネル材の取付金物を使用すると外壁パネル材の取付位置が三次元で調整でき、簡単且つ容易に施工できる取付金物を具現化した。
【００３６】
また、本発明が対象とする外断熱工法を用いた建物は、コンクリート躯体と外装パネル間の間隔を大きく設定することが必要で、該間隙部に十分な厚さでグラスウール系やロックウール系の断熱材を施工し、省エネルギー効果に優れた、耐久性の高い建物を構成するものである。本発明は、前記コンクリート躯体と外装パネル材間の間隙を確保して、コンクリート躯体に外装パネルを支障なく取付可能な外装パネル取付金物を提供することができた。
【発明を実施するための最良の形態】
【００３７】
本発明が提案する外装パネル材の取付金物は、鉄筋コンクリート造やプレキャストコンクリート造、並びに軽量気泡コンクリート板等にて形成される建造物の躯体面に対して必要な間隔をもって平滑状態に外装パネル材を取り付けるためにの施工に際して、該外装パネル材の取付金具は躯体面に埋め込まれたアンカーボルトを介して略垂直に植設される支持ボルトと、該支持ボルトの根元部補強のために支持ボルトの根元部に嵌挿されるサポート金具からなる。                  
【００３８】
サポート金具は前記支持ボルトの挿入孔を中心に放射状に３〜４枚の羽根形状のリブが形成されており、該それぞれのリブ先端部には羽根厚よりも大きな脚部構成シューが形成された形状を有し、該サポート金具の脚部構成シューが前記躯体面に圧着されるよう躯体面に植設した支持ボルトにサポート金具を嵌挿して固定用ナットにて躯体面にサポート金具を締着固定している。
【００３９】
而して、サポート金物を締着固定した支持ボルトは該支持ボルトの先端部で胴縁受け金物を位置決めナットと挟持ナットにて所定位置に設定し、該位置決めナットに対向して螺着される挟持ナットにて前記胴縁受け金物は設定位置に固設保持され、該胴縁受け金物の胴縁嵌合部に胴縁を嵌合当接してビスで胴縁と胴縁受け金物を締結することにより、前記躯体面と胴縁に取り付けられる外装パネル材間に所定間隙を設け、該所定間隙内で前記支持ボルトが断熱材を保持して、前記外装パネル材を施工するものである。                                        
【００４０】
本発明において、前記サポート金具を締着固定した支持ボルトの先端部で位置決めナットと挟持ナットを介して所定位置に設定される胴縁受け金物は平板に胴縁嵌合部を形成する一対の挟持リブを有し、該挟持リブを挟んで両端に広がる支持ボルト固定部と耐風ボルト固定部を設けてなり、該支持ボルト固定部には長孔形状のルーズホールが穿たれており、前記位置決めナットを螺着した支持ボルトの先端部は胴縁受け金物の支持ボルト固定部に穿たれた長孔形状のルーズホールに挿着され前記位置決めナットに当接されて出幅方向を設定されている。  
【００４１】
また、前記長孔形状のルーズホール内にて胴縁受け金物は左右方向を調整して前記位置決めナットに対向して支持ボルトに螺着される挟持ナットで挟持固着され、該胴縁受け金物の一対の挟持リブが形成する胴縁嵌合部に嵌着される縦胴縁は躯体面に対して上下方向に装架される通し材を形成し、該通し材にビス止め等にて取付される外装パネルは取付時に縦胴縁上で当該外パネルの上下調整をおこなう構成の外壁パネル材取付金物用の胴縁受け金物である。  
【００４２】
本発明は、サポート金具を締着固定した支持ボルトの先端部で位置決めナットを介して所定位置に固設される胴縁受け金物は平板に胴縁嵌合部を形成する一対の挟持リブを有し、該挟持リブを挟んで両端に広がる支持ボルト固定部と耐風ボルト固定部を設けている。
【００４３】
前記支持ボルトの先端部は胴縁受け金物の支持ボルト固定部に穿たれたルーズホールに挿着され、該ルーズホールを介して胴縁受け金物を調整して所定位置に固設し、前記挟持リブの他端に設けられた耐風ボルト固定部には耐風ボルト螺着孔を穿設してなり、該耐風ボルト螺着孔に耐風ボルトを必要に応じて螺着させて当該耐風ボルトの先端部を前記躯体面に当接調整することで、前記胴縁受け金物に係る面外に対する対応力を補強することを可能にした外壁パネル材取付金物用の胴縁受け金物である。  
【００４４】
また、本発明は、胴縁受け金物は当該胴縁受け金物の長手方向に連続して押し出されるアルミ押出形材にて製作され、該胴縁受け金物の有効長さは適宜長さに切断されてピース材の胴縁受け金物となし、該ピース材の胴縁受け金物は前記一対の挟持リブを有する胴縁嵌合部を形成して当該胴縁嵌合部で接合する一対の胴縁間に嵌合して添部材となし、該添部材をそれぞれ胴縁とビス等にて固着せしめ接合する一対の胴縁間の接合部材を構成する外壁パネル材取付金物用の胴縁接合部材である。
【実施例】
【００４５】
本発明の実施例を図１乃至図６に基づき説明する。
図１は、本発明の化粧パネル材の取付金具を部品図的に表示した斜視説明図、図２は本発明の取付金具を使用して躯体正面に外装パネルを施工した状態を示す一部詳細図、図３図２の縦断面図、図４は取付金具を示す部分平面図、図５は図４の部分縦断面図、図６は胴縁接合部の構成を示す説明図である。
【００４６】
図１乃至図６において、１は鉄筋コンクリート造やプレキャストコンクリート造、並びに軽量気泡コンクリート板等にて構築された躯体、２は該躯体の躯体面、３は躯体面２の前面にある間隙を持って取り付けられる外装パネル材で、多くはタイルやアルミそしてステンレスのパネル状成形材である。４は前記化粧パネル材３を平滑状態に取り付けるための縦胴縁であり、該縦胴縁４はアルミ押出形材で形成されたパイプ形状材が使用されている。
【００４７】
前記、縦胴縁４と躯体面２間には、外装パネル材３の取付金物５が配置されており、該取付金物５は躯体１に埋め込まれたれたアンカーボルト６、該アンカーボルト６に螺合され躯体面２に略垂直に植設される支持ボルト７、該支持ボルト７に挿嵌されるボルト挿入孔８を有するサポート金具９、該サポート金具９の固定用ナット１０により構成されている。
【００４８】
また、前記サポート金具８を締着固定した支持ボルト７先端部１１には本発明の胴縁受け金物１２が配置されており、該胴縁受け金物１２は平板に胴縁嵌合部１３を形成する一対の挟持リブ１４a、１４bを有し、該挟持リブ１４a、１４bを挟んで両端に広がる支持ボルト固定部１５と耐風ボルト固定部１６が設けられ、該支持ボルト固定部１５にはルーズホール１７、耐風ボルト固定部１６には耐風ボルト螺着孔１８がそれぞれ穿たれている。
【００４９】
而して前記支持ボルト７の先端部１１は位置決めナット１９a、挟持ナット１９bが螺着可能であり、先端部１１に位置決めナット１９aを螺着し、前記胴縁受け金物１２の支持ボルト固定部１５に穿たれたルーズホール１７に挿着して、胴縁受け金物１２の躯体面２との出幅を支持ボルト７の先端部１１で調整する。次ぎに胴縁受け金物１２はルーズホール１７内にて左右方向の位置調整を行い、既に出幅位置調整済みの位置決めナット１９aと挟持ナット１９bにて挟持することで前記支持ボルト７の先端部１１の設定位置に固設されている。
【００５０】
前記先端部１１設定位置とは、躯体面２と化粧パネル３間の間隙を目的に応じて設定したもので、本発明が外断熱工法用であることから、前記間隙には、グラスウールやロックウール等の断熱材２０、２１（図４に示す）を施すスペースとして１００ｍｍから３００ｍｍの間隙を前記支持ボルト７、サポート金具８、胴縁受け金物１２、そして縦胴縁４にて構成し、前記支持ボルト７にて板材形状で供給される断熱材２０、２１を面方向で貫通して躯体面２上に保持する。
【００５１】
また、前記耐風ボルト固定部１６の耐風ボルト螺着孔１８には耐風ボルト２２が螺着可能に構成されており、該耐風ボルト２２には耐風ナット１９cが螺着されるようになっている。前記、耐風ボルト２２は図１の当該位置に任意に螺着して、該耐風ボルト２２の先端部２３を躯体面２に当接することで、胴縁受け金物１２の面外の外力に対する対応力は倍増させることが可能に構成されている。
【００５２】
そして前記、耐風ナット１９cは、耐風ボルト２２の先端部２３が躯体面２に当接完了後、締結して耐風ボルト２２、胴縁受け金物１２、支持ボルト７を一体化させるためのものである。而して、耐風ボルト２２は断熱材２０、２１を面方向で貫通して当該断熱材２０、２１を躯体面２上に保持することができるので、上記面外の対応力の倍増目的に使用するだけでなく、各胴縁受け金物１２の位置で断熱材２０、２１を二点止めすることに使用しても良い。
【００５３】
前記支持ボルト７の先端部１１に固設される胴縁受け金物１２は、アルミ押出形材にて形成され、ピース部材に適宜カットして使用されるため、表面には、ルーズホール１７の穿設位置や耐風ボルト螺合孔１８の穿設位置決め用に位置表示Ｖ溝２４が刻設されており、同様に胴縁４を胴縁受け金物１２にタッピングビス２４にて固着する際に利用できる位置表示Ｖ溝２５も予め刻設されている。
【００５４】
また、前記サポート金具９は、支持ボルト７に挿嵌され、前記固定用ナット１０にて躯体面２に圧着されながら締め付け固定されており躯体面２の不陸を克服して、該締結作業により支持ボルト７の躯体面２への略垂直状態は近似的垂直状態にまで改善される。
【００５５】
更にサポート金具９の役割は、前記ボルト挿入孔８を中心に放射上に３枚の羽根形状のリブ２７a、２７b、２７cが設けられており、該リブ２７a、２７b、２７cのそれぞれの端部には、脚部構成シュー２８a、２８b、２８ｃがそれぞれ設けられている。
【００５６】
前記、脚部構成シュー２８a、２８b、２８cは、前記固定用ナット１０の締結により躯体面２に圧着されて筋交い状に配列され、サポート金具９のボルト挿入孔８にて挿嵌されいる支持ボルト７を強固に根元から補強し、且つ躯体面２上の不陸を調整するための脚部を構成し、該支持ボルト７を大きく持ち出し可能としている。
【００５７】
而して、図２の外装パネル割り付け図、並びに図３の縦断面図にあっては、前記本発明の取付金物を複数本配列して躯体面２に外装パネル材３a、３b、３c・・・を施工した状態を示す部分詳細図を示すもので、外装パネル材３a、３b、３c・・・の裏面には、或るピッチ間隔を持って縦胴縁４a、４b、４c・・・が配置されている。
【００５８】
縦胴縁４a、４b、４ｃ・・・は、本発明の胴縁受け金物１２a、１２ｂ、１２c・・・により、嵌合固着されており、予め躯体面２に植設されたアンカーボルト６a、６b、６c・・・に固着された支持ボルト７a、７ｂ、７c・・・と前記縦胴縁４a、４b、４ｃ・・・の位置調整は、間に介在する胴縁受け金物１２a、１２b、１２ｃ・・・と支持ボルト７a、７ｂ、７c・・・がそれぞれ位置決めナット１９a、挟持ナット１９bにて挟持固定する時に行われる。
【００５９】
即ち、それぞれの縦胴縁４a、４b、４ｃ・・・は、躯体面２に対して出幅方向を調整されており、また、縦胴縁４a、４b、４ｃ・・・のピッチは、胴縁受け金物１２a、１２b、１２ｃ・・・のそれぞれのルーズホール１７内で左右に調整されているから、外装パネル材３a、３b、３c・・・の取付は、縦胴縁４a、４b、４ｃ・・・上でその上下関係位置を調整してタッピングビス３０a、３０b、３０c・・・でビス止めして行くだけで三次元位置調整した精度の良い施工がなされる。
【００６０】
斯くして、前記支持ボルト７の直径は通常、８〜１６ｍｍφであり、本発明が要求する前記躯体面２と化粧パネル材３間に設けられる断熱材２０、２１を十分に施すための間隙が１００〜３００ｍｍといった寸法であることから、前記支持ボルト７をそのまま持ち出して縦胴縁４a、４b、４ｃ・・・及び外装パネル材３a、３b、３ｃ・・・を装着することになると前記支持ボルト７は、縦胴縁４a、４b、４ｃ・・・及び外装パネル材３a、３b、３ｃ・・・の重量を受けて変形することになるために、支持ボルト７の持ち出し長さを、それぞれ前記サポート金具９で根元部から補強することによって、躯体面２と化粧パネル３間に大きな間隔を容易に設けることが可能となった。
【００６１】
図４は図１において説明した部品図を組み立てた状態で、取付金物５と胴縁受け金物１２の関係を示す部分平面図、図５は図４の部分縦断面図である。図４並びに図５において、１は躯体、２は躯体面、２０、２１は断熱材、３は外装パネル材をそれぞれ示している。また、６は躯体面２に植設されたアンカーボルト、９はサポート金具、１０は固定ナット、７は支持ボルト、１２は胴縁受け金物、４は縦胴縁であり、該縦胴縁４に外装パネル材３a、３ｂは化粧目地２９を介してタッピングビス３０にて取付されている。    
【００６２】
そして、支持ボルト７の先端部１１は位置決めナット１９a、挟持ナット１９bが螺着可能であり、先端部１１に位置決めナット１９aを螺着し、前記胴縁受け金物１２の支持ボルト固定部１５に穿たれたルーズホール１７に挿着して、胴縁受け金物１２の躯体面２との出幅を支持ボルト７の先端部１１で調整する。次ぎに胴縁受け金物１２はルーズホール１７内にて左右方向の位置調整を行い、既に出幅位置調整済みの位置決めナット１９aと挟持ナット１９bにて挟持することで前記支持ボルト７の先端部１１の設定位置に固設されている。
【００６３】
尚、図４、図５における符号２５は、胴縁４と胴縁受け金物１２を嵌合固着するためのタッピングビスである。そして図４は、耐風ボルト固定部１６の耐風ボルト螺着孔１８に耐風ボルト２２が螺着されている構成を示しており、該耐風ボルト２２の先端部２３を躯体面２に当接し、耐風ナット１９cにて耐風ボルト２２を固定することで、胴縁受け金物１２の面外の外力に対する対応力を倍増させている実施例を示している。
【００６４】
斯くして、本発明の、外装パネル材３の取付金物は、鉄筋コンクリート造やプレキャストコンクリート造、並びに軽量気泡コンクリート板等にて形成される建造物の躯体面２に対して必要な間隔をもって平滑状態に外装パネル材３を取り付けるためにの施工に際して、該外装パネル材３の取付金具は躯体面２に埋め込まれたアンカーボルト６を介して略垂直に植設される支持ボルト７と、該支持ボルト７の根元部補強のために支持ボルト７の根元部に嵌挿されるサポート金具９からなる。
【００６５】
前記サポート金具９は前記支持ボルト７の挿入孔８を中心に放射状に３枚の羽根形状のリブ２７a、２７b、２７ｃが形成されており、該それぞれのリブ先端部には羽根厚よりも大きな脚部構成シュー２８a、２８b、２８cが形成された形状を有し、該サポート金具９の脚部構成シュー２８a、２８b、２８cが前記躯体面２に圧着されるよう躯体面２に植設した支持ボルト７にサポート金具９を嵌挿して固定用ナット１０にて躯体面２にサポート金具９を締着固定している。
【００６６】
而して、サポート金物９を締着固定した支持ボルト７は該支持ボルト７の先端部１１で胴縁受け金物１２を位置決めナット１９aと挟持ナット１９bにて所定位置に設定し、該位置決めナット１９aに対向して螺着される挟持ナット１９bにて前記胴縁受け金物１２は設定位置に固設保持され、該胴縁受け金物１２の胴縁嵌合部１３に胴縁４を嵌合当接してビス２５で胴縁４と胴縁受け金物１２を締結することにより、前記躯体面２と胴縁４に取り付けられる外装パネル材３間に所定間隙を設け、該所定間隙内で前記支持ボルト７が断熱材を保持して、前記外装パネル材３を施工する構成を有する外断熱工法を用いた建物の外壁パネル材取付金物である。
【００６７】
本発明に係る前記サポート金具９を締着固定した支持ボルト７の先端部１１で位置決めナット１９aと挟み持ナット１９bにて所定位置に設定される胴縁受け金物１２は、平板に胴縁嵌合部１３を形成する一対の挟持リブ１４a、１４ｂを有し、該挟持リブ１４a、１４bを挟んで両端に広がる支持ボルト固定部１５と耐風ボルト固定部１６を設けてなり、該支持ボルト固定部１５には長孔形状のルーズホール１７が穿たれており、前記位置決めナット１９aを螺着した支持ボルト７の先端部１１は胴縁受け金物１２の支持ボルト固定部１６に穿たれた長孔形状のルーズホール１７に挿着され前記位置決めナット１９aに当接されて出幅方向を設定されている。
【００６８】
また、前記長孔形状のルーズホール１７内にて胴縁受け金物１２は左右方向を調整して前記位置決めナット１９aに対向して支持ボルト７に螺着される挟持ナット１９bで挟持固着され、該胴縁受け金物１２の一対の挟持リブが１４a、１４b形成する胴縁嵌合部１３に嵌着される縦胴縁４は躯体面２に対して上下方向に装架される通し材を形成し、該通し材にビス３０止め等にて取付される外装パネル３は取付時に縦胴縁４上で当該外装パネル材３０の上下調整をおこなう構成の外壁パネル材取付金物用の胴縁受け金物である。
【００６９】
そして、上記構成において、本発明の特筆すべき要点は、胴縁受け金物１２ののルーズホール１７を縦胴縁４の一対の挟持リブ１４a、１４ｂの外側に配置された支持ボルト固定部１５に穿設したことにある。このことにより、一端、全ての縦胴縁４a、４ｂ、４ｃ・・・が設置された後、万が一にも不陸の箇所が発露された場合の対処策が予め構成に組み入れられていることにある。
【００７０】
即ち、本発明においては、それぞれの胴縁受け金物１２a、１２b、１２c・・・を固定するための位置決めナット１９a、挟持ナット１９ｂは側面、或いは正面から目視しながら緩め所定の位置に締め直すことで、最も容易に、且つ、確実に修正作業がおこなえる。このことは、従来の構成、施工方法では、一端取り付けた縦胴縁を取り外した上で不陸の調整を行い、再度、縦胴縁を付け直すという、多大な作業手間をなくし、外からの作業で、側面や正面から目視しながらの作業でできるため、作業性と取付精度の向上に大きく寄与している。              
【００７１】
また、本発明に係る、サポート金具９を締着固定した支持ボルト７の先端部１１で位置決めナット１９aと挟持ナット１９bにて所定位置に固設される胴縁受け金物１２は、平板に胴縁嵌合部１３を形成する一対の挟持リブ１４a、１４bを有し、該挟持リブ１４a。１４bを挟んで両端に広がる支持ボルト固定部１５と耐風ボルト固定部１６を設けている。
【００７２】
前記支持ボルト７の先端部１１は胴縁受け金物１２の支持ボルト固定部１５に穿たれたルーズホール１７に挿着され、該ルーズホール１７を介して胴縁受け金物１２を調整して所定位置に固設し、前記胴縁受け金物１２の他端に設けられた耐風ボルト固定部１６には耐風ボルト螺着孔１８を穿設してなり、該耐風ボルト螺着孔１８に耐風ボルト２２を必要に応じて螺着させて当該耐風ボルト２２の先端部２３を前記躯体面２に当接調整することで、前記胴縁受け金物１２に係る面外に対する対応力を補強することを可能にした外壁パネル材取付金物用の胴縁受け金物である。  
【００７３】
更にまた、本発明に係る胴縁受け金物１２は胴縁４の接合部材としても利用できる。図６は、縦胴縁４a、４ｂの接合一体化を胴縁受け金物１２を介してタッピングビス２５、２５にて実施した例を縦断面図にて示している。そして、前記接合部は補強のために、支持ボルト１１，サポート金物９を用いて、前記胴縁受け金物１２から成る接合部を支持している。
【００７４】
上記胴縁受け金物１２は、当該胴縁受け金物１２の長手方向に連続して押し出されるアルミ押出形材にて製作され、該胴縁受け金物１２の有効長さは適宜長さに切断されてピース材の胴縁受け金物１２となし、該ピース材の胴縁受け金物１２は前記一対の挟持リブ１４a、１４ｂを有する胴縁嵌合部１３を形成して当該胴縁嵌合部１３で接合する一対の胴縁４a、４ｂ間に嵌合して添部材となし、該添部材をそれぞれの胴縁１４a、１４b間をビス２５にて固着せしめて接合する接合部材を提供した。
【産業上の利用可能性】
【００７５】
本発明は上述の如く、マンションや集合住宅等、建物の壁を二重にし断熱材でコンクリートを外から覆う外断熱工法に用いられる外壁パネル材の取付金物に関するものである。
【００７６】
本発明は、特に安価で生産性に優れた外壁パネル材の取付金物を提供し、該外壁パネル材の取付金物を使用すると、外壁パネル材の取付が、簡単且つ容易に施工できる取付金物を提供できた。
【００７７】
而して、本発明が対象とする外断熱工法を用いた建物は、コンクリート躯体と外装パネル間の間隔を大きく設定することが必要で、該間隙部に十分な厚さで発泡ウレタン系やグラスウール系の断熱材を施工し、省エネルギー効果に優れ、耐久性の高い建物を構成するものである。本発明は、前記コンクリート躯体と外装パネル材間の間隙を確保し、コンクリート躯体から外装パネルを持ち出した形状にて支障なく取付可能な外装パネル取付金物を提供することが可能となり、その産業上の利用の可能性は多大なものがある。
【図面の簡単な説明】
【００７８】
【図１】本発明の実施例を部品図として示した斜視説明図である。
【図２】本発明の外装パネル割付を示す部分詳細図である。
【図３】図２の縦断面図である。
【図４】本発明に使用される胴縁受け金物の形状を示す部分平断面図である。
【図５】本発明に使用される胴縁受け金物の形状を示す部分縦断面図である。
【図６】本発明に使用される胴縁部材の接続部を示す説明図である。
【符号の説明】
【００７９】
１  躯体
２  躯体面  
３  外装パネル材
３a、３b、３c・・・  外装パネル材
４  縦胴縁
４a、４b、４c・・・  縦胴縁
５  取付金物
６  アンカーボルト
６a、６b、６c・・・  アンカーボルト
７  支持ボルト
７a、７b、７c・・・  支持ボルト
８  ボルト挿入孔
９  サポート金具
９a、９ｂ、９c・・・  サポート金具
１０  固定用ナット
１１  支持ボルト先端部
１２  胴縁受け金物
１２a、１２b、１２c・・・  胴縁受け金物
１３  胴縁嵌合部
１４a、１４b  挟持リブ
１５  支持ボルト固定部  
１６  耐風ボルト固定部
１７  ルーズホール
１８  耐風ボルト固定孔
１９a  位置決めナット
１９b  挟持ナット
１９c  耐風ナット
２０  断熱材
２１  断熱材
２２  耐風ボルト
２３  先端部
２４  位置表示Ｖ溝
２５  タッピングビス
２６  位置表示Ｖ溝
２７a、２７b、２７ｃ  羽根形状リブ
２８a、２８b、２８ｃ  脚部構成シュー
２９  化粧目地
３０  タッピングビス
３０a、３０b、３０c・・・  タッピングビス
【図１】
2005220628.tif 000003
【図２】
2005220628.tif 000004
【図３】
2005220628.tif 000005
【図４】
2005220628.tif 000006
【図５】
2005220628.tif 000007
【図６】
2005220628.tif 000008